(57)【要約】      （修正有）【課題】コンパクトに折り畳むことができ、且つ、展開状態にして休憩用のシートとして使用できるテントを提供する。【解決手段】テント本体を展開状態において略正方形状のシートで形成し、シートの後左辺１１と後右辺１２を折り込んで留め具で接合し、シートの前左辺と前右辺を中間部で上方に折り込み、前左辺の前部位１３Ａと後部位１３Ｂを留め具で接合し、前右辺の前部位１４Ａと後部位１４Ｂを留め具で接合する。【選択図】図４
0003200332.tif 000002
【実用新案登録請求の範囲】
【請求項１】
略三角錐状に形成されたテント本体（１）と、前記テント本体（１）の前部を上方に支持する略逆Ｕ字状に形成されたフレーム（２）を備えるテントにおいて、
前記テント本体（１）を展開状態において略正方形状のシート（１０）で形成し、
前記シート（１０）の後左辺（１１）と後右辺（１２）を留め具（２０，２１）で接合し、
前記シート（１０）の前左辺（１３）と前右辺（１４）を中間部で上方に折り込み、前記前左辺（１３）の前部位（１３Ａ）と後部位（１３Ｂ）を留め具（２０，２１）で接合し、前記前右辺（１４）の前部位（１４Ａ）と後部位（１４Ｂ）を留め具（２０，２１）で接合したことを特徴するテント。
【請求項２】
前記シート（１０）を防水性シートによって形成した請求項１記載のテント。
【請求項３】
前記留め具（２０，２１）をファスナによって形成した請求項１又は２記載のテント。
【請求項４】
前記フレーム（２）をジュラルミンパイプによって形成した請求項１乃至３のいずれか１項に記載のテント。
【考案の詳細な説明】
【技術分野】
【０００１】
本考案は、登山者等が携帯するテントに関する。
【背景技術】
【０００２】
従来、登山者等が携帯するテントは、登山者等が内部で仮眠等を行うテント本体と、テント本体を立体的に支持するフレームから形成されている。登山者等が、テントを容易に設営できるように、テント本体の上部には、２本のフレームがクロス状に設けられている構成が提案されている。
【先行技術文献】
【特許文献】
【０００３】
【特許文献１】特開平１１−８１７４７号公報
【考案の概要】
【考案が解決しようとする課題】
【０００４】
しかし、従来のテントにおいては、テント本体の上部にフレームが一体的に結合されているために、テント本体を形成するシートをコンパクトに折り畳むことができずテントの運搬が困難であるという問題があった。また、テント本体を形成するシートは筒状形状に形成しているために、シートを展開状態にすることもできず、休憩用のシートを別に携帯する必要もあった。
そこで、本考案の主たる課題は、テント本体を形成するシートを、コンパクトに折り畳むことができ、且つ、展開状態にして休憩用のシートとして使用できる構成を提案することにある。
【課題を解決するための手段】
【０００５】
上記課題を解決した本考案は次記のとおりである。
請求項１に係る考案は、略三角錐状に形成されたテント本体（１）と、前記テント本体（１）の前部を上方に支持する略逆Ｕ字状に形成されたフレーム（２）を備えるテントにおいて、
前記テント本体（１）を展開状態において略正方形状のシート（１０）で形成し、前記シート（１０）の後左辺（１１）と後右辺（１２）を留め具（２０，２１）で接合し、前記シート（１０）の前左辺（１３）と前右辺（１４）を中間部で上方に折り込み、前記前左辺（１３）の前部位（１３Ａ）と後部位（１３Ｂ）を留め具（２０，２１）で接合し、前記前右辺（１４）の前部位（１４Ａ）と後部位（１４Ｂ）を留め具（２０，２１）で接合したことを特徴するテントである。
【０００６】
請求項２に係る考案は、前記シート（１０）を防水性シートによって形成した請求項１記載のテントである。
【０００７】
請求項３に係る考案は、前記留め具（２０，２１）をファスナによって形成した請求項１又は２記載のテントである。
【０００８】
請求項４に係る考案は、前記フレーム（２）をジュラルミンパイプによって形成した請求項１乃至３のいずれか１項に記載のテントである。
【考案の効果】
【０００９】
請求項１記載の考案によれば、テント本体（１）を展開状態において略正方形状のシート（１０）で形成し、シート（１０）の後左辺（１１）と後右辺（１２）を留め具（２０，２１）で接合し、シート（１０）の前左辺（１３）と前右辺（１４）を中間部で上方に折り込み、前左辺（１３）の前部位（１３Ａ）と後部位（１３Ｂ）を留め具（２０，２１）で接合し、前右辺（１４）の前部位（１４Ａ）と後部位（１４Ｂ）を留め具（２０，２１）で接合しているので、シート（１０）をコンパクトに折り畳んで容易に運搬することができ、シート（１０）を展開状態にして休憩用のシートとして併用することもできる。また、留め具（２０，２１）で接合することのよってテント本体（１）を簡易に形成して、テントの設営を容易に行うことができる。
【００１０】
請求項２記載の考案によれば、請求項１記載の考案の効果に加えて、シート（１０）を防水性シートによって形成しているので、テント本体（１）の内部への雨水等の侵入を遮断して使用者の低体温を防止することができる。
【００１１】
請求項３記載の考案によれば、請求項１又は２記載の考案の効果に加えて、留め具（２０，２１）をファスナによって形成しているので、長期間にわたって接合力を維持してテント本体（１）の立体的形状を維持することができる。
【００１２】
請求項４記載の考案によれば、請求項１乃至３のいずれか１項に記載の考案の効果に加えて、フレーム（２）をジュラルミンパイプによって形成しているので、テントの運搬が容易になり、強風時においてもテント本体（１）の立体的形状を維持することができる。
【図面の簡単な説明】
【００１３】
【図１】テントの斜視図である。
【図２】テント本体を形成するシートの平面図である。
【図３】シートの折り込み方法の説明図である。
【図４】シートの後左辺と後右辺を折り込んだ状態の平面図である。
【図５】シートの前左辺と前右辺における前部位を折り込んだ状態の平面図である。
【図６】シートを折り込んで形成したシート本体の斜視図である。
【図７】４枚のシートを接続した正方形の連結シートの平面図である。
【考案を実施するための形態】
【００１４】
以下、本考案の実施形態について図面を参照しながら説明する。
【００１５】
図１に示すように、登山者等が携帯するテントは、折り込んで略三角錐形状に形成されたテント本体１と、テント本体１に登山者等が出入りするテント本体１の前部に形成された開口部１Ａを上方に支持する逆Ｕ字形状に形成されたフレーム２から構成されている。これにより、テントは、軽量に形成され、且つ、屋外にテントを容易に設営することができる。また、テント本体１は、登山者等の居住空間を確保する底壁４と左右の側壁６と、テント本体１の前部に形成された開口部１Ａを塞ぐ前壁６から形成されている。
【００１６】
＜シート＞
図２に示すように、折り込んで略三角錐形状のテント本体１を形成するシート１０は、略正方形形状に形成されている。シート１０の後左辺１１の外縁部には、第１留め具（請求項における「留め具」）２０が設けられ、シート１０の後右辺１２の外縁部には、第１留め具２０と接続可能な第２留め具（請求項における「留め具」）２１が設けられている。シート１０の前左辺１３における前部位１３Ａの外縁部には、第１留め具２０が設けられ、後部位１３Ｂの外縁部には、第２留め具２１が設けられ、シート１０の前右辺１４における前部位１４Ａの外縁部には、第２留め具２１が設けられ、後部位１４Ｂの外縁部には、第１留め具２０が設けられている。
【００１７】
シート１０は、登山者等の使用環境条件に応じて種々のシートを使用することができる。例えば、多雨の使用環境下においては、防水性能に優れるポリエチレン製のブルーシート（請求項における「防水性シート」）を使用し、高温多湿の使用環境下においては、防水・透湿性能に優れるポリテトラフルオロチレンとポリウレタン製の複合シートを使用し、高温環境下においては、通気性に優れるナイロン製のオールメッシュシート等を使用することができる。また、シート１０は、一枚の単層シートに制限されることはなく、例えば、寒冷の使用環境下においては、２枚のブルーシートの間に、ウール状繊維等の保温材を配置した多層シートを使用することもできる。
【００１８】
第１留め具２０と第２留め具２１は、登山者等のテントの設営期間条件に応じて種々の留め具を使用することができる。例えば、テントを長期期間にわたって設営する場合は、高い接合強度を有するスライダーとエレメントから形成されたファスナを使用し、テントを短期期間にわたって設営する場合には、容易に接合することができるフック状の起毛とループ状の起毛から形成された面ファスナを使用することができる。
【００１９】
シート１０の後左辺１１と後右辺１２が交差する隅部には、シート１０を折り込んで形成されたテント本体１０の後部を地面に固定するペグを設置するペグループ２５が設けられている。シート１０の前左辺１３と前右辺１４の中間部には、シート１０を折り込んで形成されたテント本体１０の前部における左右部を地面に固定するペグを設置するペグループ２６が設けられている。また、シート１０の後右辺１２と前右辺１４が交差する隅部には、シート１０を折り込んで形成されたテント本体１０の開口部１Ａの上側にフレーム２を挿通するフレームループ２７が設けられている。なお、フレーム２の左右の下部は、シート１０の前左辺１３と前右辺１４の中間部に設けられたペグループ２６に挿通される。
【００２０】
フレーム２は、登山者等の使用環境条件に応じてジュラルミン製、スチール製のフレームを使用することができる。しかし、軽量、高強度性能に優れるジュラルミン製のパイプを使用するのが好ましい。これにより、登山者等によるテントの運搬が容易に行え、また、強風下でテントを設営した場合においてもテント本体１の前部を上方に確実に維持することができる。
【００２１】
＜テント本体＞
次に、シート１０を折り込んで形成されるテント本体１について説明する。なお、図３〜６には、シート１０を折り込んで形成されるテント本体１の理解を容易にするために、テント１０の外周縁に設けられた第１留め具２０等、テント１０の隅部に設けられたペグループ２５等の図示を省略している。
【００２２】
図３の符号３０は、後左辺１１と後右辺１２が交差する隅部から前左辺１３と前右辺１４が交差する隅部に向かって延在する対角線３０を示している。符号３１は、シート１０の後左辺１１を対角線３０の上方に向かって折り込む左折り込み線３１を示し、符号３２は、シート１０の後右辺１２を対角線３０の上方に向かって折り込む右折り込み線３２を示し、符号３３は、シート１０の前左辺１３における前部位１３Ａと前右辺１４の前部位１４Ａを上方に向かって折り込む前折り込み線３３を示している。
【００２３】
左折り込み線３１は、後左辺１１と後右辺１２が交差する隅部から前左辺１３の中間部に向かって延在し、右折り込み線３２は、後左辺１１と後右辺１２が交差する隅部から前右辺１４の中間部に向かって延在し、前折り込み線３３は、前左辺１３の中間部から右辺１４の中間部に向かって延在している。なお、後左辺１１と、後右辺１２と、前左辺１３と、前右辺１４は、全て同一長さ、例えば、長さＬに形成されており、前左辺１３の前部位１３Ａと後部位１３Ｂ、及び前右辺１４の前部位１４Ａと後部位１３Ｂは、全て同一長さ、上述の場合には、長さ１／２Ｌに形成されている。
【００２４】
図４に示すように、シート１０の後左辺１１と、前左辺１３の後部位１３Ｂと、左折り込み線３１で区画される左面１７を、左折り込み線３１を中心として上方に折り込んでシート１０の後左辺１１を対角線３０の上方に位置させる。次に、シート１０の後右辺１２と、前右辺１４の後部位１４Ｂと、右折り込み線３２で区画される右面１８を右折り込み線３２を中心として上方に折り込んでシート１０の後右辺１２を対角線３０の上方に位置させる。次に、後左辺１１の外周縁に設けられた第１留め具２０と後右辺１２の外周縁に設けられた第２留め具２１を接続する。これにより、テント本体１の底壁４と左右の側壁５を容易に形成することができる。すなわち、シート１０の左折り込み線３１と、右折り込み線３２と、前折り込み線３３で区画される底面１６が、テント本体１の底壁４を形成し、シート１０の後左辺１１と、前左辺１３の後部位１３Ｂと、左折り込み線３１で区画される左面１７が、テント本体１の左側の側壁５を形成し、シート１０の後右辺１２と、前右辺１４の後部位１４Ｂと、右折り込み線３２で区画される右面１８が、テント本体１の右側の側壁５を形成する。
【００２５】
次に、図５に示すように、シート１０の前左辺１３の前部位１３Ａと、前右辺１４の前部位１４Ａと、前折り込み線３３で区画される前面１９を、前折り込み線３３を中心として上方に折り込んで、前左辺１３の前部位１３Ａを後部位１３Ｂの前側に位置させ、前右辺１４の前部位１４Ａを後部位１４Ｂの前側に位置させる。次に、前部位１３Ａの外周縁に設けられた第１留め具２０と後部位１３Ｂの外周縁に設けられた第２留め具２１を接続し、前部位１４Ａの外周縁に設けられた第２留め具２１と後部位１４Ｂの外周縁に設けられた第１留め具２０を接続する。これにより、テント本体１の前部に形成された開口部１Ａを容易に塞ぐことができる。すなわち、シート１０の前左辺１３の前部位１３Ａと、前右辺１４の前部位１４Ａと、前折り込み線３３で区画される前面１９が、テント本体１の前壁６を形成する。
【００２６】
図６に示すように、シート１０を折り込んで形成されたテント本体１は、前後方向の長さが、左右方向や上下方向の長さよりも長い略三角錐形状に形成される。これにより、テント本体１０内で仮眠等を行う登山者等に充分な居住区間を提供することができる。また、折り込んでテント本体１０を形成するシート１０は、展開状態において略正方形状に形成されているので、折り畳んで容易に運搬することができる。また、シート１０を展開状態にして娯楽、休憩用のシートとして使用することもできる。
【００２７】
＜連結シート＞
次に、４枚のシート１０を接続して形成した連結シート４０について説明する。以下、便宜上の連結シート４０の後部に位置するシート１０をシート１０Ａと言い、シート１０Ａの左前側に位置するシート１０をシート１０Ｂと言い、シート１０Ａの右前側に位置するシート１０をシート１０Ｃと言い、連結シート４０の前部に位置するシート１０をシート１０Ｄと言う。
【００２８】
図７に示すように、連結シート４０は、４枚のシート１０を連結して、略正方形状のシートに形成されている。これにより、一人用テントのテント本体１を形成するシート１０を連結して二、三人用テントのテント本体を形成することができる。
【００２９】
シート１０Ａとシート１０Ｂの連結は、シート１０Ａの前左辺１３とシート１０Ｂの前右辺１４を接続して行い、シート１０Ａとシート１０Ｃの連結は、シート１０Ａの前右辺１４とシート１０Ｃの前左辺１３を接続して行っている。また、シート１０Ｂとシート１０Ｄの連結は、シート１０Ｂの前左辺１３とシート１０Ｄの前右辺１４を接続して行い、シート１０Ｃとシート１０Ｄの連結は、シート１０Ｃの前右辺１４とシート１０Ｄの前左辺１３を接続して行っている。
【００３０】
これにより、シート１０と同様に、連結シート４０を折り込むことによって二、三人用テントのテント本体を形成することができる。
【００３１】
連結シート４０の後左辺４１は、シート１０Ａの後左辺１１とシート１０Ｂの後右辺１２で形成され、連結シート４０の後右辺４２は、シート１０Ａの後右辺１２とシート１０Ｃの後左辺１１で形成されている。連結シート４０の後左辺４１と後右辺４２を接合してテント本体の左右の側壁を形成するには、後左辺１１を形成するシート１０Ａの後左辺１１の外周縁に設けられた第１留め具２０とシート１０Ｂの後右辺１２の外周縁に設けられた第２留め具２１を、後右辺１２を形成するシート１０Ａの後右辺１２の外周縁に設けられた第２留め具２１とシート１０Ｃの後左辺１１の外周縁に設けられた第１留め具２０にそれぞれ接合することによって行うことができる。
【００３２】
連結シート４０の前左辺４３の前部位４３Ａは、シート１０Ｄの後右辺１２で形成され、前左辺４３の後部位４３Ｂは、シート１０Ｂの後左辺１１で形成されている。また、連結シート４０の前右辺４４の前部位４４Ａは、シート１０Ｄの後左辺１１で形成され、前右辺４４の後部位４４Ｂは、シート１０Ｃの後右辺１２で形成されている。連結シート４０の前左辺４３の前部位４３Ａと前右辺４４の前部位４４Ａと、連結シート４０の前左辺４３の後部位４３Ｂと前右辺４４の後部位４４Ｂを接続して、テント本体の前壁を形成するには、前左辺４３の前部位４３Ａを形成するシート１０Ｄの後右辺１２の外周縁に設けられた第２留め具２１と前右辺４４の前部位４４Ａを形成するシート１０Ｄの後左辺１１の外周縁に設けられた第１留め具２０を、前左辺４３の後部位４３Ｂを形成するシート１０Ｂの後左辺１１の外周縁に設けられた第１留め具２０と前右辺４４の後部位４４Ｂを形成するシート１０Ｃの後右辺１２の外周縁に設けられた第２留め具２１にそれぞれ接合することによって行うことができる。
【産業上の利用可能性】
【００３３】
本考案は、屋外で使用するテントのテント本体に利用できるものである。
【符号の説明】
【００３４】
１        テント本体
２        フレーム
１０      シート
１１      後左辺
１２      後右辺
１３      前左辺
１３Ａ    前部位
１３Ｂ    後部位
１４      前右辺
１４Ａ    前部位
１４Ｂ    後部位
２０      第１留め具（留め具）
２１      第２留め具（留め具）
【図１】
0003200332.tif 000003
【図２】
0003200332.tif 000004
【図３】
0003200332.tif 000005
【図４】
0003200332.tif 000006
【図５】
0003200332.tif 000007
【図６】
0003200332.tif 000008
【図７】
0003200332.tif 000009